(57)【要約】  表示パネル及び表示装置を提供する。該表示パネルは積層される表示液晶パネル及び光制御パネルを備え、前記表示液晶パネルは複数本のグリッド線を備え、前記複数本のグリッド線は第１方向に延伸している第１グリッド線及び第２方向に延伸している複数本の第２グリッド線を含み、前記第１方向と前記第２方向は相互に交差し、前記複数本の第１グリッド線と前記複数本の第２グリッド線は複数のサブ画素ユニットを画定し、前記光制御パネルはバックライトがそれを経由して前記表示液晶パネルに入射するように構成され、複数本の信号線を備え、前記複数本の信号線は前記第１方向に延伸している第１信号線及び前記第２方向に延伸している複数本の第２信号線を含み、前記複数本の第１信号線と前記複数本の第２信号線は複数の光制御ユニットを画定し、前記複数本の信号線の少なくとも一部は折れ線である。該表示パネルは、表示液晶パネルに入射するバックライトの方向又は強度を制御するとともに、モアレをよく解消する効果を達成することができる。
2021535415.tif 000002
【特許請求の範囲】
【請求項１】
積層される表示液晶パネル及び光制御パネルを備える表示パネルであって、
前記表示液晶パネルは複数本のグリッド線を備え、前記複数本のグリッド線は第１方向に延伸している第１グリッド線及び第２方向に延伸している複数本の第２グリッド線を含み、前記第１方向と前記第２方向は相互に交差し、複数本の前記第１グリッド線と前記複数本の第２グリッド線は複数のサブ画素ユニットを画定し、
前記光制御パネルはバックライトがそれを経由して前記表示液晶パネルに入射するように構成され、前記光制御パネルは複数本の信号線を備え、前記複数本の信号線は前記第１方向に延伸している第１信号線及び前記第２方向に延伸している複数本の第２信号線を含み、複数本の前記第１信号線と前記複数本の第２信号線は複数の光制御ユニットを画定し、
前記複数本の信号線の少なくとも一部は折れ線である表示パネル。
【請求項２】
前記第１信号線は折れ線であり、連続して周期的に配列される複数の第１折れ線ユニットを備え、１つの前記第１折れ線ユニットは１つの前記光制御ユニットに対応し、且つ１つの前記第１折れ線ユニットは前記第１方向に順に配列される第１部分及び第２部分を備え、前記第１部分は前記第２部分に接続される第１端を備え、前記第２部分は前記第１部分に接続される第１端を備える請求項１に記載の表示パネル。
【請求項３】
前記第１部分と前記第２部分との接続点は前記折れ線の変曲点であり、前記第１部分と前記第２部分はそれぞれ前記変曲点の両側に位置し且つ方向が異なる請求項２に記載の表示パネル。
【請求項４】
前記表示液晶パネルの前記光制御パネルを向く面における前記第１信号線と前記第２信号線との交点の正投影は、前記表示液晶パネルの前記光制御パネルを向く面における前記第２グリッド線の正投影と重なり、
前記表示液晶パネルの前記光制御パネルを向く面における１つの前記第１折れ線ユニットの前記第１部分の第１端と前記第２部分の第１端との接続点の正投影は、前記表示液晶パネルの前記光制御パネルを向く面における１本の前記第２グリッド線の正投影と重なる請求項２に記載の表示パネル。
【請求項５】
前記第１方向に連続して配列されるＮ（Ｎは正の整数）個の前記サブ画素ユニットは１つの画素ユニットを構成し、
複数の前記画素ユニット及び前記複数の光制御ユニットはそれぞれアレイ状に配列され、
前記第１方向において、１つの前記光制御ユニットの最大長さは１つの前記画素ユニットの長さのｍ倍であり、前記第２方向において、１つの前記光制御ユニットの幅は１つの前記画素ユニットの幅のｎ（ｍ及びｎはいずれも正の整数）倍である請求項４に記載の表示パネル。
【請求項６】
１つの前記光制御ユニットの平面図形の面積はｍ×ｋ（ｋは前記第２方向に連続して配列される前記画素ユニットの数であり、ｋは正の整数、ｋ≧ｎ／２である）個の前記画素ユニットの平面図形の面積に略等しい請求項５に記載の表示パネル。
【請求項７】
前記第１方向に連続して配列されるＮ（Ｎは正の整数）個の前記サブ画素ユニットは１つの画素ユニットを構成し、前記表示液晶パネルの前記光制御パネルを向く面における前記第１部分及び前記第２部分の正投影は、いずれも前記第２方向に連続して配列される少なくとも２つの画素ユニット行を通過する請求項３、４又は６のいずれか一項に記載の表示パネル。
【請求項８】
前記表示液晶パネルの前記光制御パネルを向く面における前記複数本の第１信号線の正投影は、全体としてすべての前記画素ユニットを通過する請求項７に記載の表示パネル。
【請求項９】
前記表示液晶パネルの前記光制御パネルを向く面における１本の前記第１信号線の正投影は、前記表示液晶パネルの前記光制御パネルを向く面における複数本の前記第１グリッド線のうちの１本の正投影と交差し、且つ前記第１折れ線ユニットの前記第１部分の中点及び前記第２部分の中点は、前記表示液晶パネルの前記光制御パネルを向く面に垂直な方向において前記第１グリッド線と重なる請求項７又は８に記載の表示パネル。
【請求項１０】
前記複数の第１折れ線ユニットのうちの少なくとも１つの前記第１部分と前記第２部分は、前記第１折れ線ユニットに対応する前記光制御ユニットの前記第２方向における中心軸に対して対称である請求項２から９のいずれか一項に記載の表示パネル。
【請求項１１】
前記第１部分と前記第１方向は第１夾角を有し、前記第２部分と前記第１方向は第２夾角を有し、
前記第１夾角及び前記第２夾角の範囲はいずれも３７°〜７０°である請求項１０に記載の表示パネル。
【請求項１２】
前記第１部分は直線分又は曲線分、前記第２部分は直線分又は曲線分である請求項２から１１のいずれか一項に記載の表示パネル。
【請求項１３】
前記第２信号線は折れ線であり、周期的に配列される複数の第２折れ線ユニットを備え、
１つの前記第２折れ線ユニットは１つの前記光制御ユニットに対応し、又は１つの前記第２折れ線ユニットは２つの前記光制御ユニットに対応し、
１つの前記第２折れ線ユニットは前記第２方向に順に配列される第１部分及び第２部分を備え、前記第２折れ線ユニットの前記第１部分は前記第２折れ線ユニットの前記第２部分に接続される第１端を備え、前記第２折れ線ユニットの前記第２部分は前記第２折れ線ユニットの前記第１部分に接続される第１端を備える請求項１から１２のいずれか一項に記載の表示パネル。
【請求項１４】
前記複数の第２折れ線ユニットのうちの少なくとも１つの前記第１部分と前記第２部分は、前記第２折れ線ユニットに対応する前記光制御ユニットの前記第１方向における中心軸に対して対称である請求項１３に記載の表示パネル。
【請求項１５】
前記第２折れ線ユニットの第１部分と前記第２方向は第３夾角を有し、
前記第２折れ線ユニットの第２部分と第２方向は第４夾角を有し、前記第３夾角及び前記第４夾角の範囲はいずれも７°未満である請求項１３に記載の表示パネル。
【請求項１６】
前記表示液晶パネルの前記光制御パネルを向く面における１本の前記第２信号線の正投影は、前記表示液晶パネルの前記光制御パネルを向く面における前記複数本の第２グリッド線のうちの１本の正投影と交差し、且つ前記第２折れ線ユニットの第１部分の第２端及び前記第２折れ線ユニットの第２部分の第２端は、前記表示液晶パネルの前記光制御パネルを向く面に垂直な方向において、前記第２グリッド線と重なる請求項１３に記載の表示パネル。
【請求項１７】
前記第２信号線は直線であり、前記表示液晶パネルの前記光制御パネルを向く面における前記第２信号線の正投影は、前記表示液晶パネルの前記光制御パネルを向く面における前記第２グリッド線の正投影と重なる請求項１から１６のいずれか一項に記載の表示パネル。
【請求項１８】
前記第２方向における前記第１信号線の幅は前記第１方向における前記第２信号線の幅よりも大きい請求項１７に記載の表示パネル。
【請求項１９】
前記第１信号線は第１ゲート線、前記第２信号線は第１データ線であり、前記第１ゲート線及び前記第１データ線はそれぞれ、前記光制御パネルの光制御ユニット中の液晶分子の回転を駆動するための第１ゲート信号及び第１データ信号を提供し、
前記グリッド線は第２ゲート線及び第２データ線を備え、前記第２ゲート線及び第２データ線はそれぞれ、前記表示液晶パネルのサブ画素ユニット中の液晶分子の回転を駆動するための第２ゲート信号及び第２データ信号を提供し、又は前記グリッド線はブラックマトリックスを備える請求項１から１８のいずれか一項に記載の表示パネル。
【請求項２０】
前記表示液晶パネルは第１ベース基板を備え、前記表示液晶パネル及び前記光制御パネルは前記第１ベース基板を共有し、
前記表示液晶パネルは表示機能層を備え、前記光制御パネルは光制御機能層を備え、
前記表示機能層は前記第１ベース基板の第１側に設置され、前記光制御機能層は前記第１ベース基板の、前記第１側と対向する第２側に設置される請求項１から１９のいずれか一項に記載の表示パネル。
【請求項２１】
前記表示液晶パネルと前記光制御パネルとの間に設置される等方性拡散フィルムをさらに備え、
前記等方性拡散フィルムは、前記光制御パネルから出射する光を等方性拡散して前記表示液晶パネルに入射させるように配置される請求項１から２０のいずれか一項に記載の表示パネル。
【請求項２２】
表示装置であって、
バックライトユニットと、
請求項１から２１のいずれか一項に記載の表示パネルと、を備え、
前記バックライトユニットは前記表示パネルの前記光制御パネルに近い側に位置する表示装置。
【発明の詳細な説明】
【技術分野】
【０００１】
本願は２０１８年８月２９日に提出した中国特許出願第２０１８１０９９７０７８．３号の優先権を主張し、ここでは上記中国特許出願に開示される全内容は引用により本願の一部として組み込まれている。
【０００２】
本開示の少なくとも一実施例は表示パネル及び表示装置に関する。
【背景技術】
【０００３】
表示パネルでは、積層して設置される２つの層がそれぞれグリッドパターンを有し、且つ２つの層のグリッドパターンが近い場合、モアレが生じやすく、すなわち、明暗の縞が人の目により交互に視認され、視覚体験が低下してしまう。モアレ現象を解消してモアレを目により視認不能にすることは、表示パネルの表示品質の向上に非常に重要である。
【発明の概要】
【課題を解決するための手段】
【０００４】
本開示の少なくとも一実施例は表示パネルを提供し、該表示パネルは積層される表示液晶パネル及び光制御パネルを備え、前記表示液晶パネルは複数本のグリッド線を備え、前記複数本のグリッド線は第１方向に延伸している第１グリッド線及び第２方向に延伸している複数本の第２グリッド線を含み、前記第１方向と前記第２方向は相互に交差し、前記複数本の第１グリッド線と前記複数本の第２グリッド線は複数のサブ画素ユニットを画定し、前記光制御パネルはバックライトがそれを経由して前記表示液晶パネルに入射するように構成され、複数本の信号線を備え、前記複数本の信号線は前記第１方向に延伸している第１信号線及び前記第２方向に延伸している複数本の第２信号線を含み、前記複数本の第１信号線と前記複数本の第２信号線は複数の光制御ユニットを画定し、前記複数本の信号線の少なくとも一部は折れ線である。
【０００５】
たとえば、本開示の少なくとも一実施例に係る表示パネルでは、前記第１信号線は折れ線であり、連続して周期的に配列される複数の第１折れ線ユニットを備え、１つの前記第１折れ線ユニットは１つの前記光制御ユニットに対応し、且つ１つの前記第１折れ線ユニットは前記第１方向に順に配列される第１部分及び第２部分を備え、前記第１部分は前記第２部分に接続される第１端を備え、前記第２部分は前記第１部分に接続される第１端を備える。
【０００６】
たとえば、本開示の少なくとも一実施例に係る表示パネルでは、前記第１部分と前記第２部分との接続点は前記折れ線の変曲点であり、前記第１部分と前記第２部分はそれぞれ前記変曲点の両側に位置し且つ方向が異なる。
【０００７】
たとえば、本開示の少なくとも一実施例に係る表示パネルでは、前記表示液晶パネルにおける前記第１信号線と前記第２信号線との交点の正投影は、前記第２グリッド線と重なり、前記表示液晶パネルにおける１つの前記第１折れ線ユニットの前記第１部分の第１端と前記第２部分の第１端との接続点の正投影は、１本の前記第２グリッド線と重なる。
【０００８】
たとえば、本開示の少なくとも一実施例に係る表示パネルでは、前記第１方向に連続して配列されるＮ（Ｎは正の整数）個の前記サブ画素ユニットは１つの画素ユニットを構成し、複数の前記画素ユニット及び前記複数の光制御ユニットはそれぞれアレイ状に配列され、前記第１方向において、１つの前記光制御ユニットの最大長さは１つの前記画素ユニットの長さのｍ倍であり、前記第２方向において、１つの前記光制御ユニットの幅は１つの前記画素ユニットの幅のｎ（ｍ及びｎはいずれも正の整数）倍である。
【０００９】
たとえば、本開示の少なくとも一実施例に係る表示パネルでは、１つの前記光制御ユニットの平面図形の面積はｍ×ｋ（ｋは前記第２方向に連続して配列される前記画素ユニットの数であり、ｋは正の整数、ｋ≧ｎ／２である）個の前記画素ユニットの平面図形の面積に略等しい。
【００１０】
たとえば、本開示の少なくとも一実施例に係る表示パネルでは、前記第１方向に連続して配列されるＮ（Ｎは正の整数）個の前記サブ画素ユニットは１つの画素ユニットを構成し、前記表示液晶パネルの前記光制御パネルを向く面における前記第１部分及び前記第２部分の正投影はいずれも前記第２方向に連続して配列される少なくとも２つの画素ユニット行を通過する。
【００１１】
たとえば、本開示の少なくとも一実施例に係る表示パネルでは、前記表示液晶パネルにおける前記複数本の第１信号線の正投影は、全体としてすべての前記画素ユニットを通過する。
【００１２】
たとえば、本開示の少なくとも一実施例に係る表示パネルでは、前記表示液晶パネルの前記光制御パネルを向く面における１本の前記第１信号線正投影と前記表示液晶パネルの前記光制御パネルを向く面における前記複数本の第１グリッド線のうちの１本の正投影は交差し、且つ前記第１折れ線ユニットの前記第１部分の中点及び前記第２部分の中点は前記表示液晶パネルの前記光制御パネルを向く面に垂直な方向において該第１グリッド線と重なる。
【００１３】
たとえば、本開示の少なくとも一実施例に係る表示パネルでは、前記複数の第１折れ線ユニットのうちの少なくとも１つの前記第１部分と前記第２部分は該第１折れ線ユニットに対応する前記光制御ユニットの前記第２方向における中心軸に対して対称である。
【００１４】
たとえば、本開示の少なくとも一実施例に係る表示パネルでは、前記第１部分と前記第１方向は第１夾角を有し、前記第２部分と前記第１方向は第２夾角を有し、前記第１夾角及び前記第２夾角はいずれも３７°〜７０°である。
【００１５】
たとえば、本開示の少なくとも一実施例に係る表示パネルでは、前記第１部分は直線分又は曲線分、前記第２部分は直線分又は曲線分である。
【００１６】
たとえば、本開示の少なくとも一実施例に係る表示パネルでは、前記第２信号線は折れ線であり、周期的に配列される複数の第２折れ線ユニットを備え、１つの前記第２折れ線ユニットは１つの前記光制御ユニットに対応し、又は１つの前記第２折れ線ユニットは２つの前記光制御ユニットに対応し、１つの前記第２折れ線ユニットは前記第２方向に順に配列される第１部分及び第２部分を備え、前記第２折れ線ユニットの前記第１部分は前記第２折れ線ユニットの前記第２部分に接続される第１端を備え、前記第２折れ線ユニットの前記第２部分は前記第２折れ線ユニットの前記第１部分に接続される第１端を備える。
【００１７】
たとえば、本開示の少なくとも一実施例に係る表示パネルでは、前記複数の第２折れ線ユニットのうちの少なくとも１つの前記第１部分と前記第２折れ線ユニットの第２部分は該第２折れ線ユニットに対応する前記光制御ユニットの前記第１方向における中心軸に対して対称である。
【００１８】
たとえば、本開示の少なくとも一実施例に係る表示パネルでは、前記第２折れ線ユニットの第１部分と前記第２方向は第３夾角を有し、前記第２折れ線ユニットの第２部分と第２方向は第４夾角を有し、第３夾角及び第４夾角はいずれも７°未満である。
【００１９】
たとえば、本開示の少なくとも一実施例に係る表示パネルでは、前記表示液晶パネルの前記光制御パネルを向く面における１本の前記第２信号線の正投影と前記表示液晶パネルの前記光制御パネルを向く面における前記複数本の第２グリッド線のうちの１本の正投影は交差し、且つ前記第２折れ線ユニットの第１部分の第２端及び前記第２折れ線ユニットの第２部分の第２端は前記表示液晶パネルの前記光制御パネルを向く面に垂直な方向において該第２グリッド線と重なる。
【００２０】
たとえば、本開示の少なくとも一実施例に係る表示パネルでは、前記第２信号線は直線配線であり、前記表示液晶パネルの前記光制御パネルを向く面における前記第２信号線の正投影と前記表示液晶パネルの前記光制御パネルを向く面における前記第２グリッド線の正投影は重なる。
【００２１】
たとえば、本開示の少なくとも一実施例に係る表示パネルでは、前記第２方向における前記第１信号線の幅は前記第１方向における前記第２信号線の幅よりも大きい。
【００２２】
たとえば、本開示の少なくとも一実施例に係る表示パネルでは、前記第１信号線は第１ゲート線、前記第２信号線は第１データ線であり、前記第１ゲート線及び前記第１データ線はそれぞれ、前記光制御パネルの光制御ユニット中の液晶分子の回転を駆動するための第１ゲート信号及び第１データ信号を提供し、
前記グリッド線は第２ゲート線及び第２データ線を備え、前記第２ゲート線及び第２データ線はそれぞれ、前記表示液晶パネルのサブ画素ユニット中の液晶分子の回転を駆動するための第２ゲート信号及び第２データ信号を提供し、又は前記グリッド線はブラックマトリックスを備える。
【００２３】
たとえば、本開示の少なくとも一実施例に係る表示パネルでは、前記表示液晶パネルは第１ベース基板を備え、前記表示液晶パネル及び前記光制御パネルは前記第１ベース基板を共有し、前記表示液晶パネルは表示機能層を備え、前記光制御パネルは光制御機能層を備え、前記表示機能層は前記第１ベース基板の第１側に設置され、前記光制御機能層は前記第１ベース基板の前記第１側と対向する第２側に設置される。
【００２４】
たとえば、本開示の少なくとも一実施例に係る表示パネルは、表示液晶パネルと光制御パネルとの間に設置される等方性拡散フィルム（ｉｓｏｔｒｏｐｉｃ  ｄｉｆｆｕｓｉｏｎ  ｆｉｌｍ、ＩＤＦ）をさらに備え、前記等方性拡散フィルムは前記光制御パネルから出射する光を等方性拡散して前記表示液晶パネルに入射させる。
【００２５】
本開示の少なくとも一実施例は表示装置を提供し、該表示装置はバックライトユニット及び本開示の実施例に係るいずれかの表示パネルを備え、前記バックライトユニットは前記表示パネルの前記光制御パネルに近い側に位置する。
【図面の簡単な説明】
【００２６】
本開示の実施例の技術案をさらに明確に説明するために、以下、実施例の図面を簡単に説明し、以下説明される図面は単に本開示のいくつかの実施例に関するものであり、本開示を限定しない。
【００２７】
【図１Ａ】図１Ａはローカル調光を示す模式図である。
【図１Ｂ】図１Ｂはローカル調光を示す模式図である。
【図１Ｃ】図１Ｃは本開示の一実施例に係る表示パネルの断面模式図である。
【図２】図２は図１Ｃ中の表示パネルの表示液晶パネルの平面模式図である。
【図３Ａ】図３Ａは図１Ｃ中の表示パネルの光制御パネルの平面模式図１である。
【図３Ｂ】図３Ｂは本開示の一実施例に係る表示パネルの平面模式図１である。
【図３Ｃ】図３Ｃは図３Ｂの部分拡大模式図である。
【図４】図４は本開示の一実施例に係る表示パネルの平面模式図２である。
【図５】図５は本開示の一実施例に係る表示パネルの平面模式図３である。
【図６Ａ】図６Ａは図１Ｃ中の表示パネルの光制御パネルの平面模式図２である。
【図６Ｂ】図６Ｂは本開示の一実施例に係る表示パネルの平面模式図４である。
【図７Ａ】図７Ａは図１Ｃ中の表示パネルの光制御パネルの平面模式図３である。
【図７Ｂ】図７Ｂは本開示の一実施例に係る表示パネルの平面模式図５である。
【図８Ａ】図８Ａは図１Ｃ中の表示パネルの光制御パネルの平面模式図４である。
【図８Ｂ】図８Ｂは本開示の一実施例に係る表示パネルの平面模式図６である。
【図９Ａ】図９Ａは本開示の一実施例に係る別の表示パネルの断面模式図である。
【図９Ｂ】図９Ｂは本開示の一実施例に係るさらに別の表示パネルの断面模式図である。
【図１０】図１０は本開示の実施例に係る表示装置の模式図である。
【図１１】図１１は本開示の一実施例に係る表示装置の断面模式図である。
【発明を実施するための形態】
【００２８】
本開示の実施例の目的、技術案、及び利点をさらに明確にするために、以下、本開示の実施例の図面を参照して、本開示の実施例の技術案を明確かつ完全に説明する。以下説明される実施例は本開示の一部の実施例であり、すべての実施例ではない。説明される本開示の実施例に基づいて、当業者が創造的な労働を必要とせずに得る他の実施例はすべて、本開示の保護範囲に属する。
【００２９】
特に定義しない限り、本開示に使用されている技術用語又は科学用語は当業者が理解できる通常の意味を有する。本開示に使用されている「第１」、「第２」及び類似する用語は、順序、数量又は重要性を示すものではなく、異なる構成要素を区別するためのものにすぎない。「含む」又は「備える」等の類似する用語は、「含む」又は「備える」の前に記載された素子又は部材が、「含む」又は「備える」の後に挙げられる素子又は部材及びその同等物を含むが、他の素子又は部材を排除しないことを意味する。「接続」又は「連結」等の類似する用語は物理的又は機械的接続に限定されず、直接及び間接を問わず電気的接続を含んでもよい。「内」、「外」、「上」、及び「下」等は、相対位置関係を示すだけであり、説明対象の絶対位置が変わると、該相対位置関係もその分変わる可能性がある。
【００３０】
本開示に使用される図面のサイズは厳密に実際の縮尺で作成されるものではなく、表示液晶パネル中の画素ユニットの数及び光制御パネル中の光制御ユニットの数は図示される数に限定されず、各構造の具体的なサイズ及び数は実際の需要に応じて決定できる。本開示に説明される図面は単に構成模式図である。
【００３１】
表示液晶パネルは液晶パネル及びバックライトユニットを備える。通常、液晶パネルは対向して設置されて液晶セルを形成するアレイ基板及び対向基板（たとえば、カラーフィルタ基板）を備え、液晶セルでは、アレイ基板と対向基板との間に液晶層が充填され、アレイ基板上に第１偏光板が設置され、対向基板上に第２偏光板が設置され、第１偏光板と第２偏光板の偏光方向は垂直である。バックライトユニットは液晶パネルの非表示側に設置され、液晶パネルに平面光源を提供する。液晶層の液晶分子はアレイ基板上に設置される画素電極とアレイ基板上に設置される共通電極又は対向基板上に設置される共通電極との間で形成される駆動電界の作用下で偏向して、光の偏光方向を制御し、且つ第１偏光板と第２偏光板との協働下で光の透過率を制御し、それによって階調表示を実現する。バックライトユニットは直下型バックライトユニット又はエッジ型バックライトユニットでありうる。直下型バックライトユニットは並列に設置される複数のスポット光源（たとえば、ＬＥＤ）及び拡散板を備え、これらの点状光源の発する光は拡散板によって均一化されて液晶パネルに入射して表示に使用される。
【００３２】
たとえば、表示液晶パネルの場合、ローカル調光技術（Ｌｏｃａｌ  Ｄｉｍｍｉｎｇ、ＬＤ）と組み合わせて直下型バックライトユニットを制御することで、表示パネルの表示画質を向上させることができる。ローカル調光技術は表示パネルの電力消費量を低減させるだけでなく、バックライト領域の動的調光を実現することができ、表示画像のコントラストを大幅に高め、表示パネルの表示画質を向上させる。ローカル調光技術をもとにピーク駆動技術を採用することで、表示画像のコントラストをさらに高め、ユーザーの視覚体験を向上させることができる。
【００３３】
ローカル調光技術はバックライトユニット全体を個別駆動可能な複数のバックライトブロック（Ｂｌｏｃｋ）に分割でき、各バックライトブロックは１つ又は複数のＬＥＤを備える。表示画面の異なる部分が表示する階調に応じて、これらの部分に対応するバックライトブロックのＬＥＤの駆動電流を自動で調整し、バックライトユニット中の各ブロックの輝度の個別調整を実現し、それによって表示画面のコントラストを高めることができる。たとえば、直下型バックライトユニットの例では、バックプレート全体におけるＬＥＤ光源の領域分割模式図は図１Ａに示され、図中の小さなブロックは１つのＬＥＤユニットを示し、点線で分けられる複数の領域は複数のバックライト領域を示す。各バックライト領域は１つ又は複数のＬＥＤユニットを備え、ほかのバックライト領域とは別に制御可能である。たとえば、各バックライトブロック内のＬＥＤは連動し、すなわち、同一バックライトブロック内にあるＬＥＤを流れる電流は同じである。
【００３４】
ローカル調光技術は表示液晶パネルに表示される画面内容のグレースケールに応じて、対応するバックライトブロックの明るさを調整することができる。図１Ｂはローカル調光処理後の表示画面及びそれに対応するバックライトブロックの表示輝度を示す模式図である。図１Ｂに示すように、バックライトユニットはアレイ状に配列される複数の長方形バックライト領域を備え、ローカル調光技術は表示液晶パネルに表示される画面内容のグレースケールに応じて、対応するバックライトブロックの明るさを調整でき、画面輝度（階調）が高い部分は、対応するバックライトブロックの輝度も高く、画面輝度が低い部分は、対応するバックライトブロックの輝度も低く、それによってバックライトの電力消費量を低減させ、表示画面のコントラストを高め、表示画質を向上させる目的を達成する。
【００３５】
しかしながら、上記ローカル調光技術は直下型バックライトユニットに適用され、且つ光源であるＬＥＤはたとえばバックプレート全体に均等に分布している。たとえば、エッジ型バックライトユニットにローカル調光技術を使用するために、表示液晶パネルとエッジ型バックライトユニットとの間に光制御パネルを追加する必要があり、該光制御パネルは所定領域の光透過率を制御でき、画面輝度（階調）が高い部分は、光制御パネルの対応する領域の光透過率も高く、バックライトユニットからの光を多く透過させ、画面輝度が低い部分は、光制御パネルの対応する領域の光透過率も低く、バックライトユニットからの光を少なく通過させ、それによって表示画面のコントラストを高め、表示画質を向上させる目的を達成する。また、直下型バックライト光源上に直下型バックライトユニットを直接形成する場合、バックライトユニットの分割の高密度（単位面積当たりのバックライトユニットの数）及び高精度を実現することが困難である。光制御ユニットの分割の高密度及び高精度が求められる場合、前記光制御パネルはこの要件を満たすことができ、且つ前記光制御パネルの作製プロセスを実現しやすい。
【００３６】
本開示の少なくとも一実施例は表示パネルを提供し、該表示パネルは積層される表示液晶パネル及び光制御パネルを備え、前記表示液晶パネルは複数本のグリッド線を備え、前記複数本のグリッド線は第１方向に延伸している第１グリッド線及び第２方向に延伸している複数本の第２グリッド線を含み、前記第１方向と前記第２方向は相互に交差し、前記複数本の第１グリッド線と前記複数本の第２グリッド線は複数のサブ画素ユニットを画定し、前記光制御パネルはバックライトがそれを経由して前記表示液晶パネルに入射するように構成され、複数本の信号線を備え、前記複数本の信号線は前記第１方向に延伸している第１信号線及び前記第２方向に延伸している複数本の第２信号線を含み、前記複数本の第１信号線と前記複数本の第２信号線は複数の光制御ユニットを画定し、前記複数本の信号線の少なくとも一部は折れ線である。
【００３７】
たとえば、図１Ｃは本開示の一実施例に係る表示パネルの断面模式図である。図１Ｃに示すように、表示パネル１０は積層される表示液晶パネル１及び光制御パネル２を備える。光制御パネル１はバックライトがそれを経由して表示液晶パネル１に入射するように構成される。表示液晶パネル１は表示機能を実現し、光制御パネル２は必要に応じて、表示液晶パネル１に入射するバックライトの方向又は強度を制御し、たとえば、狭視角と広視角との切り替えのニーズ、表示パネルの各位置における発光強度が異なるように制御するニーズ等を実現する。たとえば、該バックライトは直下型バックライト光源又はエッジ型バックライト光源由来でありうる。たとえば、図２は図１Ｃの表示パネルの表示液晶パネルの平面模式図である。図２に示すように、表示液晶パネル１は複数本のグリッド線３を備え、複数本のグリッド線３は第１方向に延伸している複数本の第１グリッド線３１及び沿第２方向に延伸している複数本の第２グリッド線３２を含み、第１方向と第２方向は交差し、複数本の第１グリッド線３１と複数本の第２グリッド線３２は相互に交差して複数のサブ画素ユニットを画定する。たとえば、複数本の第１グリッド線３１及び複数本の第２グリッド線３２はいずれも直線である。第１方向に連続して配列されるＮ個のサブ画素ユニットは１つの画素ユニット６を構成する。Ｎは正の整数である。たとえば、図１Ｃに示すように、Ｎ＝３であり、１つの画素ユニット６中の３個のサブ画素ユニットは、たとえば第１サブ画素ユニット６１、第２サブ画素ユニット６２及び第３サブ画素ユニット６３である。たとえば、１つの画素ユニット６中のＮ個のサブ画素ユニットはそれぞれ異なる色の光を出射して、カラー表示を実現する。たとえば、第１サブ画素ユニット６１、第２サブ画素ユニット６２及び第３サブ画素ユニット６３はそれぞれ赤色光、緑色光及び青色光を出射する。別の実施例では、第１方向に連続して配列される４個のサブ画素ユニットは１つの画素ユニットを構成し、たとえば、該４個のサブ画素ユニットはそれぞれ赤色光、緑色光、青色光及び白色光を出射する。勿論、上記列挙される場合に限定されず、１つの画素ユニット６に備えられるサブ画素ユニットは必要に応じて設計できる。
【００３８】
図３Ａは図１Ｃ中の表示パネルの光制御パネルの平面模式図１であり、図３Ｂは本開示の一実施例に係る表示パネルの平面模式図１、すなわち、積層して設置される図３Ａに示される光制御パネル及び図２に示される表示液晶パネルを備える表示パネルの平面模式図であり、図３Ｃは図３Ｂの部分拡大模式図である。
【００３９】
図３Ａ−３Ｃに示すように、光制御パネル２は複数本の信号線４を備え、複数本の信号線４は第１方向に延伸している複数本の第１信号線４１及び第２方向に延伸している複数本の第２信号線４２を備え、複数本の第１信号線４１と複数本の第２信号線４２は相互に交差して複数の光制御ユニット７を画定する。たとえば、表示液晶パネル１の複数本のグリッド線３は相互に交差する第１方向及び第２方向に延伸している直線であり、たとえば、これら相互に交差するグリッド線３によって画定される複数のサブ画素ユニットの平面形状はいずれも長方形である。複数本の信号線４の少なくとも一部は折れ線配線であり、それによって光制御ユニット７の平面形状はサブ画素ユニットの平面形状と異なり、配列ルールが異なり、たとえば、光制御ユニット７の平面形状は長方形ではなく、たとえば図３Ａに示される不規則な図形であり、且つ、たとえば、第１方向又は第２方向において、表示液晶パネル１に信号線４の正投影（表示液晶パネル１の光制御パネル２を向く面における正投影）はグリッド線３と交差し、信号線４はグリッド線３と同じ又は類似するパターンを有さないことで、モアレを視認できず、モアレを解消又は改善する効果を達成する。
【００４０】
なお、複数本の信号線４の少なくとも一部が折れ線配線であることは、少なくとも一部の信号線４、信号線４全体がいずれも折れ線である場合を含み、１本の信号線４の一部が折れ線である場合をさらに含む。
【００４１】
本開示の実施例に係る表示パネル１０は、表示液晶パネル１に入射するバックライトの方向又は強度を制御するとともに、モアレを解消するための専用膜層を別途追加せずにモアレをよく解消する効果を達成することができる。且つ、適用範囲が広く、直下型バックライト光源又はエッジ型バックライト光源からの光を調光することができる。
【００４２】
たとえば、図２及び図３Ａに示すように、複数の画素ユニット６及び複数の光制御ユニット７はそれぞれアレイ状に配列され、それぞれ第１方向及び第２方向における配列周期を有する。図３Ａ及び３Ｂに示すように、たとえば、第１信号線４１は折れ線配線であり、連続して周期的に配列される複数の第１折れ線ユニット５を備え、且つ１つの第１折れ線ユニット５は１つの光制御ユニット７に対応し、すなわち、第１折れ線ユニット５は第１方向において１つの光制御ユニット７を跨っている。且つ各第１折れ線ユニット５は第１方向に順に配列される第１部分５１及び第２部分５２を備え、第１部分５１は第２部分５２に接続される第１端Ａ１を備え、第２部分５２は第１部分５１に接続される第１端Ｂ１を備える。すなわち、第１部分５１の第１端Ａ１と第２部分５２の第１端Ｂ１が接続され、第１部分５１と第２部分５２との接続点がＡ１（Ｂ１）であり、点Ａ１とＢ１が重なる。なお、上記連続して周期的に配列されるとは、各第１折れ線ユニット５のパターンが同じであり、且つ隣接する２つの第１折れ線ユニット５が互いに接続され、連続的に分布し、１つの第１折れ線ユニット５の第１部分５１の第２端Ａ２がそれと隣接する第１折れ線ユニット５の第２部分５２の第２端Ｂ２に接続され、たとえば、隣接する２つの第１折れ線ユニット５が点Ａ２、点Ｂ２に接続される。第１信号線４１のこのような折れ線配線のパターンによってモアレをよく解消又は改善する効果を達成でき、且つ周期的に配列される構造は簡単で、作製しやすい。
【００４３】
たとえば、第１部分５１と第２部分５２との接続点Ａ１（Ｂ１）は折れ線の変曲点である。なお、本開示の変曲点とは、折れ線の折れ領域の頂点であり、すなわち、折れ線の方向を変える点であり、それぞれ変曲点の両側に位置する第１部分５１と第２部分５２の方向が異なる。たとえば、第１信号線４１の方向は図３Ａ中の第１方向であり、該変曲点は第１信号線４１を上向きから下向きに変える点であり、該上向き及び下向きとは、たとえば図３Ａ中の上及び下である。
【００４４】
たとえば、図３Ｂに示すように、たとえば、表示液晶パネル１の光制御パネル２を向く面における第１信号線４１と第２信号線４２との交点（たとえば、点Ａ２、点Ｂ２）の正投影は表示液晶パネル１の光制御パネル２を向く面における第２グリッド線３２の正投影と重なり、表示液晶パネル１の光制御パネル２を向く面における第１折れ線ユニット５の第１部分５１の第１端Ａ１と第２部分５２の第１端Ｂ１との接続点Ａ１（Ｂ１）の正投影は表示液晶パネル１の光制御パネル２を向く面における１本の第２グリッド線３２の正投影と重なる。たとえば、第１信号線４１と第２信号線４２との交点は隣接する２つの第１折れ線ユニット５の交点でもあり、例として、該交点は、たとえば点Ａ２、点Ｂ２である。なお、第１信号線４１と第２信号線４２は点Ａ２、点Ｂ２によって電気的に接続されるのではなく、第１信号線４１と第２信号線４２は点Ａ２、点Ｂ２で交差する。それによって、隣接する光制御ユニット７の境界点は表示液晶パネル１に垂直な方向においてグリッド線１と重なり、すなわち、表示液晶パネル１の光制御パネル２を向く面における隣接する光制御ユニット７の境界点の正投影は表示液晶パネル１の光制御パネル２を向く面におけるグリッド線１の正投影と重なり、それによって表示液晶パネル１における信号線４の正投影とグリッド線３によって形成されるパターンの対応関係が規則的であり、モアレをよく解消する効果の達成に寄与する。
【００４５】
たとえば、図３Ｂに示すように、複数の画素ユニット６及び複数の光制御ユニット７はそれぞれアレイ状に配列され、複数の画素ユニット６はサイズ及び形状が同じであり、複数の光制御ユニット７はサイズ及び形状が同じである。たとえば、第１方向における１つの光制御ユニット７の最大長さＬ１は１つの画素ユニット６の長さのｍ倍であり、第２方向における１つの光制御ユニット７の幅は１つの画素ユニット６の幅のｎ倍である。ｍ及びｎはいずれも正の整数である。すなわち、第１方向における１つの光制御ユニット７の最大長さＬ１は連続して配列されるｍ個の画素ユニット６の長さの和に等しく、第２方向における１つの光制御ユニット７の幅Ｌ２は連続して配列されるｎ個の画素ユニット６の幅の和に等しい。それによって、１つの光制御ユニット７を連続して配列されるｍ×ｎ個の画素ユニット６（すなわち、連続するｍ列及びｎ行の画素ユニット６）に対応させることを可能にし、すなわち、表示装置の表示面に垂直な方向において、各光制御ユニット７の開始位置及び終了位置は対応するｍ×ｎ個の連続して配列される画素ユニット６の組み合わせの開始位置及び終了位置でもある。
【００４６】
例として、図３Ｂに示される実施例では、ｍ＝２、ｎ＝４であり、１つの光制御ユニット７は２×４個の連続して配列される画素ユニット６に対応する。また、たとえば、図４は本開示の一実施例に係る表示パネルの平面模式図２であり、図４に示される実施例では、ｍ＝２、ｎ＝７であり、１つの光制御ユニット７は２×７個の画素ユニット６に対応する。
【００４７】
なお、本開示の幅とは、第２方向に沿う軸（図中、Ｙ軸）において、１つの光制御ユニットの第１端と該光制御ユニット中の該第１端から最も遠い第２端との距離である。たとえば、図３Ｂでは、第２方向における１つの光制御ユニット７の幅とは、第２方向に沿う軸（図中、Ｙ軸）において、光制御ユニット７の第１端Ａ１と光制御ユニット中の該第１端Ａ１から最も遠い第２端Ｃとの距離である。
【００４８】
図３Ｂに示すように、１つの光制御ユニット７の平面図形の面積はｍ×ｋ個の画素ユニット６の平面図形の面積に略等しく、ｋは第２方向に連続して配列される画素ユニット６の数であり、ｋ≧ｎ／２であり、ｋは正の整数である。たとえば、図３Ｂに示される実施例では、ｍ＝２、ｋ＝２であり、また、たとえば、図４に示される実施例では、ｍ＝２、ｋ＝４である。このようにして、規則的で均一なグリッドパターンを得ることができ、光制御パネルの各位置における光の干渉を近くし、モアレの改善に寄与する。図３Ｃに示すように、点Ａ１、Ａ２、Ｍ、Ｃ、Ｆ、Ｄ、Ｎ、Ｂ２を頂点とする１つの光制御ユニット７の図形Ａ１Ａ２ＭＣＦＤＮＢ２を、点Ａ２、Ｍ、Ｃ、Ｆを頂点とする第１部分、点Ｆ、Ｄ、Ｎ、Ｂ２を頂点とする第２部分及び三角形Ａ１Ａ２Ｂ２に分割する。三角形Ａ１Ａ２Ｂ２の面積が三角形ＣＤＦの面積に等しく、且つ三角形Ａ２ＭＣの面積が三角形Ｂ２ＮＤの面積に等しいため、図形Ａ１Ａ２ＭＣＦＤＮＢ２の面積が長方形Ａ２ＣＤＢ２の面積に等しい。長方形Ａ２ＣＤＢ２は２×２個の画素ユニット６からなり、つまり、線幅を無視する（又は線幅を隣接する光制御ユニットに等分する）場合、１つの光制御ユニット７の面積が２×２個の画素ユニット６の平面図形の面積に等しい。図４に示される実施例のルールは類似し、図３Ｂに示される実施例と同様に計算したところ、１つの光制御ユニット７の面積が２×４個の画素ユニット６の平面図形の面積に等しいことがわかる。このようにして、光制御ユニット７を画素ユニット６に規則的に対応付けることができ、光制御パネル２が表示パネル１０全体の各部位の光の方向及び強度を均一に制御することに寄与するとともに、モアレをさらによく解消する効果を達成する。また、表示液晶パネル１の光制御パネル２を向く面に垂直な方向において各光制御ユニット７と重なる第１サブ画素ユニット６１、第２サブ画素ユニット６２及び第３サブ画素ユニット６３の平面図形の面積を近くすることができ（グリッド線及び信号線の線幅を無視する場合、略等しいと考えられる）、各光制御ユニット７に対応する第１サブ画素ユニット６１の平面図形の面積、第２サブ画素ユニット６２の平面図形の面積及び第３サブ画素ユニット６３の平面図形の面積はそれぞれｍ×ｋ個の画素ユニット６中の第１サブ画素ユニット６１の面積、第２サブ画素ユニット６２の面積及び第３サブ画素ユニット６３の面積に略等しく、それによって、表示パネル１０全体に均一なカラー表示効果を付与する。
【００４９】
たとえば、図３Ｂに示される表示液晶パネル１の画素ユニット６の数は３８４０×２１６０、光制御パネル２の光制御ユニット７の数は１９２０×１０８０である。図３Ｂに示されるグリッド線３のパターンと信号線４のパターンを重ね合わせて形成されるパターンは第２方向に配列される複数のパターン周期を含み、たとえば、隣接する２つの画素ユニット行であるＮ１行とＮ２行は、１つのパターン周期を構成する、従って、Ｎ１行及びＮ２行で表示液晶パネル全体を示してもよい。図３Ｂに示される表示パネル１０の平面図中の第１方向に延伸している（Ｎ１行及びＮ２行）における第１サブ画素ユニット６１の開口率、第２サブ画素ユニット６２の開口率及び第３サブ画素ユニット６３の開口率を測定する。結果は表１に示される。
【００５０】
【表１】
2021535415.tif 000003
【００５１】
表１からわかるように、Ｎ１行及びＮ２行では、第１サブ画素ユニット６１の開口率、第２サブ画素ユニット６２の開口率及び第３サブ画素ユニット６３の開口率はそれぞれ５１．３％、５７．２％及び５０．９％であり、差が小さい。従って、Ｎ１行及びＮ２行中の異なる色のサブ画素ユニットの平均開口率が近く、それによって表示液晶パネル１全体が均一なカラー表示効果を有する。
【００５２】
たとえば、ｎが２である場合、表示液晶パネル１における第１折れ線ユニット５の第１部分５１及び第２部分５２の正投影はいずれも第２方向に連続して配列される少なくとも２つの画素ユニット行を通過し、それによって第１信号線４１が該少なくとも２つの画素ユニット行を遮蔽し、各画素ユニット６の開口率が近いことで、隣接する画素ユニット行間の大きすぎる輝度差による横縞を防止し、それによって優れた表示効果を実現する。たとえば、図３Ｂに示される実施例では、表示液晶パネル１の光制御パネル２を向く面における第１折れ線ユニット５の第１部分５１及び第２部分５２の正投影はいずれも第２方向に連続して配列される２つの画素ユニット行を通過する。
【００５３】
図４に示される実施例では、ｎが４であり、表示液晶パネル１の光制御パネル２を向く面ｂにおける第１折れ線ユニット５の第１部分５１及び第２部分５２の正投影はいずれも第２方向に連続して配列される３つの画素ユニット行を通過する。勿論、本開示のほかの実施例では、ｎが１であってもよく、表示液晶パネル１の光制御パネル２を向く面ｂにおける第１折れ線ユニット５の第１部分５１及び第２部分５２の正投影は１つの画素ユニット行のみを通過し、たとえば、各前記画素ユニット行は表示液晶パネルにおける１本の第１信号線４１の正投影が通過する。
【００５４】
たとえば、図３Ｂに示すように、表示液晶パネル１の光制御パネル２を向く面における各第１信号線４１の正投影は全体として対応するｎ行の画素ユニットのすべての画素ユニット６を通過し、たとえば、表示液晶パネル１の光制御パネル２を向く面における複数本の第１信号線４１の正投影は全体としてすべての画素ユニット６を通過することで、該第１信号線４１による各画素ユニットの遮蔽率を略同じにし、それによって画素ユニット行間の大きすぎる輝度差による横縞をよく防止し、それによって優れた表示効果を実現する。
【００５５】
たとえば、図３Ｂ及び図３Ｃに示すように、表示液晶パネル１における１本の第１信号線４１の正投影が複数本の第１グリッド線３１のうちの１本と交差し、且つ第１折れ線ユニット５の第１部分５１の中点及び第２部分５２の中点は表示液晶パネル１の光制御パネル２を向く面に垂直な方向において該第１グリッド線３１と重なり、すなわち、表示液晶パネル１の光制御パネル２を向く面における第１折れ線ユニット５の第１部分５１の中点及び第２部分５２の中点の正投影はいずれも表示液晶パネル１の光制御パネル２を向く面における該第１グリッド線３１の正投影と重なる。それによって、該第１信号線４１は該第１グリッド線３１を中線（又はベースライン）にして「之」字状に延伸しているように見える。たとえば、複数本の第１信号線４１のぞれぞれは以上と同様であり、又は複数本の第１信号線４１のうちのいずれか又はいくつかは以上と同様である。図３Ｂ及び図３Ｃ中の１本の第１グリッド線３１を例に、第１部分５１の中点は点Ｇ１、第２部分５２の中点は点Ｇ２である。このようにして、信号線４は対称で規則的なパターンを形成でき、光制御パネル２が表示パネル１０全体の各部位の光の方向及び強度を均一に制御することに寄与するとともに、モアレをさらによく解消する効果を達成する。
【００５６】
図５は本開示の一実施例に係る表示パネルの平面模式図３である。たとえば、図５に示すように、本開示の別の実施例では、第１折れ線ユニット５の第１部分５１上の任意の一点及び第２部分５２上の任意の一点は表示液晶パネル１の光制御パネル２を向く面に垂直な方向において該第１グリッド線３１と重なる。
【００５７】
なお、ここでグリッド線を１本の線分に説明し、その実際の幅を無視し、前記中点及び前記任意の一点は実際に線幅に対応するサイズを有する。
【００５８】
たとえば、第１信号線４１の第１部分５１と第２部分５２は該光制御ユニットの第２方向における中心軸に対して対称である。たとえば、該中心軸は表示液晶パネル１の光制御パネル２を向く面に垂直な方向において１本の第２グリッド線３２と重なり、すなわち、表示液晶パネル１の光制御パネル２を向く面における該中心軸の正投影は表示液晶パネル１の光制御パネル２を向く面における１本の第２グリッド線３２の正投影と重なる。第１折れ線ユニット５の第１部分５１と第２部分５１が非対称である場合に比べて、光制御パネル２の信号線４が各画素ユニット６をより均一に遮蔽でき、各表示ユニットの開口率が略同じであり、それによって、複数の画素ユニット６の輝度を均一にし、モアレをさらによく解消する効果を達成するだけでなく、モアレを改善又は解消するとともに、より優れた表示効果を実現することができる。
【００５９】
たとえば、第１折れ線ユニット５の第１部分５１と第１方向（すなわち、Ｘ軸）は第１夾角αを有し、第１折れ線ユニット５の第２部分５２と第１方向は第２夾角βを有し、第１夾角α及び第２夾角βはいずれも３７〜７０°であり、たとえば、第１夾角αは第２夾角βと同じであり又は異なる。
【００６０】
図３Ｂに示される表示パネルを光学シミュレーションし、第１夾角α及び第２夾角βに対して、α及びβの値を変更し、異なるα及びβの値での視角１度あたりの周期（ｃｙｃｌｅ  ｐｅｒ  ｄｅｇｒｅｅ、ＣＰＤと略称する）を測定する。通常、ＣＰＤの数値が３５を超えると、モアレが視認されにくく、表２はモアレシミュレーションテスト結果であり、表２からわかるように、α及びβの値が３７°〜７０°である場合、ＣＰＤの数値がすべて３５を超え、このとき、モアレを視認する可能性が低く、モアレが視認されにくい。α及びβの値が３７°〜５０°である場合に比べて、α及びβの値が５０°〜７０°である場合、第１信号線４１が該少なくとも２つの画素ユニット行をより均一に遮蔽し、各画素ユニット６の開口率を近くし、横縞をよく回避できる。
【００６１】
【表２】
2021535415.tif 000004
【００６２】
図６Ａは図１Ｃ中の表示パネルの光制御パネルの平面模式図２であり、図６Ｂは本開示の一実施例に係る表示パネルの平面模式図４であり、すなわち、図６Ａに示される光制御パネルと図１Ｃに示される表示液晶パネルとを積層した後の平面模式図である。たとえば、第１折れ線ユニット５の第１部分５１及び第２部分５２は直線分であってもよく、図３Ｂ、図４及び図５に示すように、たとえば第１折れ線ユニットの湾曲部分はコーナーを備え、又は、第１折れ線ユニット５の第１部分５１及び第２部分５２は曲線分であってもよく、図６Ａ及び図６Ｂに示すように、たとえば第１折れ線ユニットの湾曲部分はコーナーを備えるのではなく、曲線（たとえば、弧状）である。
【００６３】
たとえば、図３Ｂ及び３Ｃに示すように、第２信号線４２は折れ線配線であり、周期的に配列される複数の第２折れ線ユニット８を備え、１つの第２折れ線ユニット８は１つの前記光制御ユニット７に対応する。１つの第２折れ線ユニット８は第２方向に順に配列される第１部分８１及び第２部分８２を備え、該第１部分８１は該第２部分８２に接続される第１端を備え、該第２部分８２は該第１部分８１に接続される第１端を備える。すなわち、第２折れ線ユニット８の第１部分８１の第１端と第２折れ線ユニットの第２部分８２の第１端とが接続され、その接続点が点Ｍである。このように、第２信号線４２及び第１信号線４１がいずれも折れ線配線であることで、モアレを解消する効果をさらに向上させる。
【００６４】
図７Ａは図１Ｃの表示パネルの光制御パネルの平面模式図３であり、図７Ｂは本開示の一実施例に係る表示パネルの平面模式図５であり、すなわち、図７Ａに示される光制御パネルと図１Ｃに示される表示液晶パネルとを積層した平面模式図である。たとえば、別の実施例では、図７Ｂに示すように、１つの第２折れ線ユニット８は２つの光制御ユニット７に対応する。このとき、表示液晶パネル１の光制御パネル２を向く面における第１折れ線ユニット５の第１部分５１の第１端と第１折れ線ユニットの第２部分５２の第１端との接続点Ａ１の正投影はすべて表示液晶パネル１の光制御パネル２を向く面における第２グリッド線３２の正投影と重なるのではない。
【００６５】
たとえば、第２折れ線ユニット８の第１部分８１と第２折れ線ユニット８の第２部分８２は該光制御ユニット７の第１方向における中心軸に対して対称である。たとえば、該中心軸は表示液晶パネル１の光制御パネル２を向く面に垂直な方向において１本の第１グリッド線３１と重なり、すなわち、表示液晶パネル１の光制御パネル２を向く面における該中心軸の正投影は表示液晶パネル１の光制御パネル２を向く面における１本の第１グリッド線３１の正投影と重なる。第２折れ線ユニット８の第１部分５１と第２部分５１が非対称である場合に比べて、光制御パネル１の信号線４が各画素ユニット６をより規則的かつ均一に遮蔽でき、各画素ユニット６の開口率を略同じにし、それによって複数の画素ユニット６の表示輝度及び色効果を一致させ、モアレをさらによく解消する効果を達成するだけでなく、モアレを改善又は解消するとともに、より優れた表示効果を実現することができる。
【００６６】
たとえば、図３Ｂ及び図３Ｃに示すように、第２折れ線ユニット８の第１部分８１と第２方向は第３夾角θを有し、第２折れ線ユニット８の第２部分８２と第２方向は第４夾角γを有し、第３夾角θ及び第４夾角γはいずれも７°未満である。第３夾角θ及び第４夾角γが大きすぎると、信号線４のパターンの不規則程度が明らかに増大し、信号線４のパターンの不規則程度が大きすぎると、モアレの解消に不利であり、第３夾角θ及び第４夾角γがいずれも７°未満であることで、この問題を防止できる。たとえば、第３夾角θは第４夾角γと同じであり又は異なる。
【００６７】
たとえば、図３Ｂ及び図３Ｃに示すように、１表示液晶パネル１の光制御パネル２を向く面における本の第２信号線４２の正投影は表示液晶パネル１の光制御パネル２を向く面における複数本の第２グリッド線３２のうちの１本の正投影と交差し、且つ第２折れ線ユニット８の第１部分８１の第２端Ａ２及び第２折れ線ユニット８の第２部分８２の第２端Ｃは表示液晶パネル１の光制御パネル２を向く面に垂直な方向において該第２グリッド線３２と重なり、すなわち、表示液晶パネル１の光制御パネル２を向く面における第２折れ線ユニット８の第１部分８１の第２端Ａ２及び第２折れ線ユニット８の第２部分８２の第２端Ｃの正投影は表示液晶パネル１の光制御パネル２を向く面における該第２グリッド線３２の正投影と重なる。たとえば、第１部分８１及び第２部分８２はそれと重なる第２グリッド線３２の同一側又は異なる側に位置する。たとえば、第１信号線４１と第２信号線４２との交点は隣接する２つの第１折れ線ユニットの交点及び隣接する２つの第２折れ線ユニット８の交点でもあり、例として、該交点は、たとえば点Ａ２、点Ｂ２、点Ｃ、及び点Ｄを含む。
【００６８】
たとえば、１つの第１折れ線ユニット５の第１部分５１と第２部分５２との接続点は表示液晶パネル１の光制御パネル２を向く面に垂直な方向において、第１グリッド線３１と第２グリッド線３２との１つの交点と重なってもよく（図３Ｂ参照）、重ならなくてもよい（図５参照）。
【００６９】
図４、図５、図６Ｂ及び図７Ｂに示される実施例に対しては、説明されていない特徴及び技術的効果はいずれも図３Ｂに示される実施例の特徴と同じであるため、上記説明を参照すればよい。
【００７０】
たとえば、本開示の別の実施例では、第２信号線４２は直線配線であってもよい。図８Ａは図１Ｃの表示パネルの光制御パネルの平面模式図４であり、図８Ｂは本開示の一実施例に係る表示パネルの平面模式図６であり、該表示パネルは図８Ｂの光制御パネル及び図２の表示液晶パネルを備える。図８Ａ及び図８Ｂに示すように、たとえば、第２信号線４２は直線配線であり、それによって信号線４のパターンを簡素化し、作製しやすい。このとき、たとえば、表示液晶パネル１の光制御パネル２を向く面における第２信号線４２の正投影が表示液晶パネル１の光制御パネル２を向く面における第２グリッド線３２の正投影と重なり、モアレの解消に有利である。この場合、表示装置の表示面に垂直な方向において、各光制御ユニット７の開始位置及び終了位置は対応するｍ×ｎ個の連続して配列される画素ユニット６の組み合わせの開始位置及び終了位置でもある。
【００７１】
たとえば、第２方向における第１信号線４１の幅は第１方向における第２信号線４２の幅よりも大きい。前記幅は、第１信号線４１及び第２信号線４２の線幅である。線幅が大きい信号線はモアレへの影響が明らかであり、従って、幅が大きい第１信号線４１は折れ線であり且つ傾斜程度が大きい場合、さらにモアレの解消又は改善に有利である。
【００７２】
図８Ｂに示される表示パネルのほかの特徴は図３Ｂに示される実施例と同じであるため、上記説明を参照すればよい。
【００７３】
たとえば、第１信号線４１は第１ゲート線、第２信号線４２は第１データ線であり、第１信号線４１は第２信号線４２と絶縁し、たとえば、第１信号線４１と第２信号線との間にそれらを絶縁させる絶縁層が設置される。第１ゲート線及び第１データ線はそれぞれ、光制御パネル２の光制御ユニット７中の液晶分子（図示せず）の回転を駆動するための第２ゲート信号及び第２データ信号を提供して、光制御パネル２によるバックライトの出射角度又は強度の調整を実現する。また、たとえば、本開示の別の実施例では、第１信号線４１は第１データ線、第２信号線４２は第１ゲート線である。より具体的には、各光制御ユニット７は薄膜トランジスタ（スイッチング素子として機能する）、画素電極、及び共通電極を備え、薄膜トランジスタのゲートは第１ゲート線に接続されてゲート信号を受信し、薄膜トランジスタの第１電極（たとえば、ソース）は第１データ線に接続されてデータ信号を受信し、薄膜トランジスタの第１電極（たとえば、ドレイン）は画素電極に接続されて、導通状態で画素電極を充電し、共通電極及び画素電極が液晶層とともに液晶コンデンサを形成し、画素電極が充電されると、共通電極と画素電極との間に電界が形成されて液晶層中の液晶分子の回転を制御する。光制御パネルが垂直電界型であるか水平電界型であるかに応じて、共通電極及び画素電極は同一基板上に隣接して設置され、又は異なる基板上に対向して設置される。
【００７４】
一実施例では、グリッド線３は第２ゲート線及び第２データ線を備え、たとえば、第１グリッド線３１は第２ゲート線、第２グリッド線３２は第２ゲート線であり、第１グリッド線３１は第２グリッド線３２と絶縁する。第２ゲート線及び第２データ線はそれぞれ、表示液晶パネル１のサブ画素ユニット中の液晶分子（図示せず）の回転を駆動するための第２ゲート信号及び第２データ信号を提供する。又は、別の実施例では、グリッド線３は、隣接するサブ画素ユニットの色付き光間のクロストークを防止するためのブラックマトリックスをさらに備えてもよく、ブラックマトリックスは、第１方向に延伸している第１ブラックマトリックスバー、及び第２方向に延伸している第２ブラックマトリックスバーを備え、表示パネルの表示面に垂直な方向において、第１ブラックマトリックスバーは第１方向に沿って延伸している第１信号線（たとえば、ゲート線）を覆い、たとえば、第１信号線と同じ輪郭を有し、第２ブラックマトリックスバーは第２方向に延伸している第２信号線（たとえば、データ線）を覆い、すなわち、表示液晶パネル１の光制御パネル２を向く面における第１信号線の正投影は表示液晶パネル１の光制御パネル２を向く面における第１ブラックマトリックスバーの正投影内にある。たとえば、第１ブラックマトリックスバーは第２信号線と同じ輪郭を有し、すなわち、液晶パネル１の光制御パネル２を向く面における第１信号線の正投影は表示液晶パネル１の光制御パネル２を向く面における第１ブラックマトリックスバーの正投影と重なる。より具体的には、各画素ユニット７は薄膜トランジスタ（スイッチング素子として機能する）、画素電極、及び共通電極を備え、薄膜トランジスタのゲートは第２ゲート線に接続されてゲート信号を受信し、薄膜トランジスタの第１電極（たとえば、ソース）は第２データ線に接続されてデータ信号を受信し、薄膜トランジスタの第１電極（たとえば、ドレイン）は画素電極に接続されて、導通状態で画素電極を充電し、共通電極及び画素電極が液晶層とともに液晶コンデンサを形成し、画素電極が充電されると、共通電極と画素電極との間に電界が形成されて液晶層中の液晶分子の回転を制御する。表示液晶パネルが垂直電界型であるか水平電界型であるかに応じて、共通電極及び画素電極は同一基板上に隣接して設置され、又は異なる基板上に対向して設置される。表示液晶パネルは、カラー表示用のカラーフィルタをさらに備える。
【００７５】
なお、本開示の実施例の図面は本発明の趣旨に直接関連する構造のみを示しており、表示駆動回路、カラーフィルタ及び層間絶縁層等のような表示液晶パネル１のほかの構造、及び光制御駆動回路等のような光制御パネル２のほかの構造について、当業者は通常技術を参照すればよい。
【００７６】
図９Ａは本開示の一実施例に係る別の表示パネルの断面模式図である。たとえば、図９Ａに示すように、表示パネルは第１ベース基板１２、第２ベース基板１５及び第３ベース基板１６を備える。表示液晶パネル１は第１ベース基板１２、第１ベース基板１２と対向する第３ベース基板１６、及び第１ベース基板１２と第３ベース基板１６との間に位置する表示機能層１３を備える。光制御パネル２は、第１ベース基板１２、第１ベース基板１２と対向する第２ベース基板１５、及び第１ベース基板１２と第２ベース基板１５との間に位置する光制御機能層１４を備える。たとえば、第１ベース基板１２、第２ベース基板１５及び第３ベース基板１６はいずれもガラス基板又は石英基板等である。表示液晶パネル１及び光制御パネル２は第１ベース基板１２を共有し、つまり、表示液晶パネル１及び光制御パネル２はいずれも同一の第１ベース基板１２を備える。たとえば、表示液晶パネル１は表示機能層１３を備え、光制御パネル２は光制御機能層１４を備え、表示機能層１３が第１ベース基板１２の第１側に設置され、光制御機能層１４が該第１ベース基板１２の第１側と対向する第２側に設置されることで、表示パネル１０の構造を簡素化し、表示パネル１０を薄型化する。表示液晶パネルの表示機能層１３は、たとえば、グリッド線、表示駆動回路、液晶層及びカラーフィルタなど表示に使用される様々な部材を備え、光制御パネルの光制御機能層１４は、たとえば、信号線、光制御駆動回路、液晶層など光制御を実現するための様々な部材を備える。
【００７７】
たとえば、一実施例では、前記表示駆動回路は表示機能層１３の第１ベース基板１２に近い側に設置され、前記光制御駆動回路は光制御機能層１４の第１ベース基板１２に近い側に設置される。すなわち、表示駆動回路及び光制御駆動回路はいずれも第１ベース基板１２に設置される。
【００７８】
たとえば、別の実施例では、前記表示駆動回路は表示機能層１３の第１ベース基板１２に近い側に設置され、前記光制御駆動回路は光制御機能層１４の第２ベース基板１５に近い側に設置される。すなわち、表示駆動回路は第１ベース基板１２に設置され、前記光制御駆動回路は第２ベース基板１５に設置される。
【００７９】
図９Ｂは本開示の一実施例に係る別の表示パネルの断面模式図である。図９Ｂに示すように、該表示パネル１０は図１Ｃの表示液晶パネル１及び光制御パネル２を備える。たとえば、表示パネル１０は表示液晶パネル１と光制御パネル２との間に設置される等方性拡散フィルム（ｉｓｏｔｒｏｐｉｃ  ｄｉｆｆｕｓｉｏｎ  ｆｉｌｍ、ＩＤＦ）１１をさらに備え、それによって、バックライト光源からのバックライトが光制御パネル２に入り、光制御パネル２から出射される光がＩＤＦ  １１によって等方性拡散されて表示液晶パネル１に入射し、たとえば、ＩＤＦ  １１が接着層によって表示液晶パネル１及び光制御パネル２に接着され、少なくとも表示液晶パネル１と同じ輪郭を有する。ＩＤＦ  １１によって、光制御パネル２から出射される光を小さな角度範囲内に拡散し、それによって信号線４のパターンを不明瞭にしてモアレを解消し、且つ、光制御パネル１から出射される光の方向に大きな影響を与えることがない。
【００８０】
本開示の少なくとも一実施例は表示装置を提供し、該表示装置は本開示の実施例に係るいずれかの表示パネルを備える。
【００８１】
たとえば、図１０は本開示の実施例に係る表示装置の模式図である。図１０に示すように、該表示装置１００は本開示の実施例に係るいずれかの表示パネル１０を備える。該表示装置１００は液晶表示装置である。たとえば、該表示装置は、携帯電話、タブレットパソコン、ディスプレイ、ノートパソコン、ＡＴＭなど表示機能を有する任意の製品又は部材として実現できる。該表示装置１０は表示液晶パネル１に入射するバックライトの方向又は強度を制御できるとともに、モアレを解消又は改善する効果を達成できる。
【００８２】
たとえば、図１１は本開示の一実施例に係る表示装置の断面模式図である。表示装置はバックライトユニット（バックライト光源）９をさらに備える。バックライトユニット９は直下型バックライトユニット又はエッジ型バックライトユニットであってもよいが、本開示の実施例ではそれを限定しない。バックライトユニット９は表示パネルの光制御パネル２に近い側に位置し、すなわち、光制御パネル２はバックライトユニット９と表示液晶パネル１との間に位置し、それによってバックライトユニット９からのバックライトを光制御パネル２に入射し、必要に応じて光制御パネル２によってバックライトの出射角度又は強度を調整して表示液晶パネル１に入射し、たとえば、狭視角と広視角との切り替えのニーズ、表示パネルの各位置における発光強度が異なるように制御するニーズなどを実現する。
【００８３】
以上、本開示の例示的な実施形態を説明したが、本開示の保護範囲を限定するものではなく、本開示の保護範囲は特許請求の範囲に定められる範囲に応じて決定される。
【符号の説明】
【００８４】
１  表示液晶パネル
２  光制御パネル
３  グリッド線
４  信号線
５  第１折れ線ユニット
６  画素ユニット
７  光制御ユニット
８  第２折れ線ユニット
１０  表示パネル
１１  等方性拡散フィルム
１２  第１ベース基板
１３  表示機能層
１４  光制御機能層
１５  第２ベース基板
１６  第３ベース基板
３１  第１グリッド線
３２  第２グリッド線
４１  第１信号線
４２  第２信号線
５１  第１部分
５２  第２部分
６１  第１サブ画素ユニット
６２  第２サブ画素ユニット
６３  第３サブ画素ユニット
８１  第１部分
８２  第２部分
１００  表示装置
【図１Ａ】
2021535415.tif 000005
【図１Ｂ】
2021535415.tif 000006
【図１Ｃ】
2021535415.tif 000007
【図２】
2021535415.tif 000008
【図３Ａ】
2021535415.tif 000009
【図３Ｂ】
2021535415.tif 000010
【図３Ｃ】
2021535415.tif 000011
【図４】
2021535415.tif 000012
【図５】
2021535415.tif 000013
【図６Ａ】
2021535415.tif 000014
【図６Ｂ】
2021535415.tif 000015
【図７Ａ】
2021535415.tif 000016
【図７Ｂ】
2021535415.tif 000017
【図８Ａ】
2021535415.tif 000018
【図８Ｂ】
2021535415.tif 000019
【図９Ａ】
2021535415.tif 000020
【図９Ｂ】
2021535415.tif 000021
【図１０】
2021535415.tif 000022
【図１１】
2021535415.tif 000023
【国際調査報告】
2021535415.tif 000024
2021535415.tif 000025
2021535415.tif 000026
2021535415.tif 000027